(57)【要約】【課題】複数のアンテナが利用可能な装置において、チャネル毎に複数のアンテナを切り替えて放送波の有無を検出する場合に、放送波の有無を素早く判定することが可能なデジタル放送受信装置等を提供すること。【解決手段】選択されたチャネルの放送波を一のアンテナで受信可能か否かを判定し、一のアンテナでチャネルの放送波を受信できないと判定された場合に、他のアンテナへ切り替え、アンテナを切り替える度にチャネルと同一のチャネルをチューナ部において再選局する。ここで、選択されたチャネルの放送波について、受信可能か否かをアンテナごとに判定する。【選択図】図１
2015216477.tif 000002
【特許請求の範囲】
【請求項１】
選択されたチャネルを選局するチューナ部に、複数のアンテナが接続されたデジタル放送受信装置において、
選択されたチャネルの放送波を一のアンテナで受信可能か否かを判定する受信判定手段と、
前記判定手段により、前記一のアンテナで前記チャネルの放送波を受信できないと判定された場合に、他のアンテナへ切り替えるアンテナ制御手段と、
前記アンテナ制御手段によりアンテナを切り替える度に前記チャネルと同一のチャネルを前記チューナ部において再選局するチューナ制御手段と、
を備え、
前記受信判定手段は、前記チャネルに対して、放送波を受信可能か否かをアンテナごとに判定することを特徴とするデジタル放送受信装置。
【請求項２】
前記受信判定手段は、
前記チューナ部が前記チャネルに放送波があるか否かを判定する第１判定手段と、
前記第１判定手段により前記チャネルに放送波があると判定された後、放送波に含まれるＴＳ（Transport Stream）から放送局の情報を取得できるか否かを判定する第２判定手段と、
を有することを特徴とする請求項１に記載のデジタル放送受信装置。
【請求項３】
前記アンテナ制御手段は、前記第１判定手段のみで前記チャネルに放送波があるか否かを判定し、放送波がないと判定された場合に他のアンテナへ切り替えることを特徴とする請求項２に記載のデジタル放送受信装置。
【請求項４】
前記第１判定手段は、前記チャネルに放送波があるか否かを判定するために、搬送波（ＯＦＤＭ信号）の特定キャリア番号に配列されるパイロット信号（Scattered pilot）の位相情報の相関をもとに判定を行なうことを特徴とする請求項２に記載のデジタル放送受信装置。
【請求項５】
選択されたチャネルを選局するチューナ部に、複数のアンテナが接続されたデジタル放送受信装置における通信方法であって、
選択されたチャネルの放送波を一のアンテナで受信可能か否かを判定する受信判定ステップと、
前記判定ステップにより、前記一のアンテナで前記チャネルの放送波を受信できないと判定された場合に、他のアンテナへ切り替えるアンテナ制御ステップと、
前記アンテナ制御ステップによりアンテナを切り替える度に前記チャネルと同一のチャネルを前記チューナ部において再選局するチューナ制御ステップと、
を含み、
前記受信判定ステップは、前記チャネルに対して、放送波を受信可能か否かをアンテナごとに判定することを特徴とする通信方法。
【発明の詳細な説明】
【技術分野】
【０００１】
本発明は、デジタル放送受信装置等に関する。
【背景技術】
【０００２】
従来から、デジタル放送を受信するデジタル放送受信装置が知られている。デジタル受信装置は、例えば液晶テレビや、ＳＴＢといった据え置き型の装置や、携帯電話や、スマートフォンといった移動型の装置等が知られている。
【０００３】
ここで、携帯型のデジタル放送受信装置は、受信状況に応じて利用出来るように、複数のアンテナを切り替えて利用できる装置が知られている。例えば、内蔵アンテナや、ホイップアンテナといった標準装備のアンテナと、イヤホンジャックや、ＵＳＢコネクタに接続する外部アンテナが利用可能な装置が知られている。
【０００４】
ここで、チャネルのサーチに複数のアンテナを利用する発明が知られている。例えば、特許文献１のように、視聴用の第１チューナの他に、外部アンテナを含む複数の放送受信用アンテナをチャネルサーチ用の第２チューナに接続する構成とし、第２チューナと該複数のアンテナを制御することによって物理チャネル順にサーチする第１検出動作と、第１検出動作から見つかった放送局の系列局ごとにサーチを行なう第２検出動作を繰り返し行なうことによってチャネル検出を行なう技術が知られている。
【先行技術文献】
【特許文献】
【０００５】
【特許文献１】特開２０１３−５１５０６号公報
【発明の概要】
【発明が解決しようとする課題】
【０００６】
しかし、上述した特許文献１の構成では、チャネルサーチ用の第２チューナが、候補リスト中の物理チャネルの切り替えと、１つの物理チャネルあたり、複数のアンテナへの切り替えとが起きるたびに所定のタイマによるタイムアウトまで、そのチャネルおよびアンテナの組み合わせで復調同期できる放送波があるかないか待つ必要があった。したがって、物理チャネルの検出までに時間を要するという課題があった。
【０００７】
上述した課題に鑑み、本発明は、複数のアンテナが利用可能な装置において、チャネル毎に複数のアンテナを切り替えて放送波の有無を検出する場合に、放送波の有無を素早く判定することが可能なデジタル放送受信装置等を提供することである。
【課題を解決するための手段】
【０００８】
上述した課題に鑑み、本発明のデジタル放送受信装置は、
選択されたチャネルを選局するチューナ部に、複数のアンテナが接続されたデジタル放送受信装置において、
選択されたチャネルの放送波を一のアンテナで受信可能か否かを判定する受信判定手段と、
前記判定手段により、前記一のアンテナで前記チャネルの放送波を受信できないと判定された場合に、他のアンテナへ切り替えるアンテナ制御手段と、
前記アンテナ制御手段によりアンテナを切り替える度に前記チャネルと同一のチャネルを前記チューナ部において再選局するチューナ制御手段と、
を備え、
前記受信判定手段は、前記チャネルに対して、放送波を受信可能か否かをアンテナごとに判定することを特徴とする。
【０００９】
本発明の通信方法は、
選択されたチャネルを選局するチューナ部に、複数のアンテナが接続されたデジタル放送受信装置における通信方法であって、
選択されたチャネルの放送波を一のアンテナで受信可能か否かを判定する受信判定ステップと、
前記判定ステップにより、前記一のアンテナで前記チャネルの放送波を受信できないと判定された場合に、他のアンテナへ切り替えるアンテナ制御ステップと、
前記アンテナ制御ステップによりアンテナを切り替える度に前記チャネルと同一のチャネルを前記チューナ部において再選局するチューナ制御ステップと、
を含み、
前記受信判定ステップは、前記チャネルに対して、放送波を受信可能か否かをアンテナごとに判定することを特徴とする。
【発明の効果】
【００１０】
本発明のデジタル受信装置によれば、サーチ対象のチャネルにおいて複数のアンテナを切り替えるごとにチャネルを再選局することで、スキャン時間を大幅に増加させることなく、１チャネルごとに複数のアンテナで受信確認が可能なスキャンもしくはサーチを行なうことができる。
【図面の簡単な説明】
【００１１】
【図１】本実施形態におけるシステム全体を説明するための図である。
【図２】本実施形態における携帯端末の機能構成を示すブロック図である。
【図３】本実施形態における携帯端末の機能構成を示すブロック図である。
【図４】本実施形態における処理の流れを説明するための動作フローである。
【図５】本実施形態における処理の流れを説明するための動作フローである。
【発明を実施するための形態】
【００１２】
以下、本発明の実施の形態を添付図面を参照して説明する。なお、本実施形態では、一例として、本発明におけるデジタル放送受信装置を、携帯電話・スマートフォン、携帯型のデジタル放送受信機といった携帯端末１に適用した場合について説明する。
【００１３】
［１．全体構成］
図１を参照して、本発明の実施の形態に係るシステム全体について説明する。携帯端末１は、放送局３から配信される放送コンテンツを受信する。放送コンテンツは、携帯端末１のアンテナにより受信される。
【００１４】
ここで、本実施形態においては、説明の都合上２つのアンテナが接続されていることとして説明する。すなわち、第１のアンテナ（アンテナ２５）か、または接続される第２のアンテナ（アンテナ３５）により、受信する。このアンテナは更に複数であっても良い。
【００１５】
［２．機能構成］
続いて、携帯端末１の機能構成について、図２及び図３を用いて説明する。図２に示すように、携帯端末１は、制御部１０に、チューナ部２０（アンテナ接続部３０）と、コンテンツ処理部４０と、通信部５０と、電話機能部６０と、記憶部７０と、操作表示部８０と、音声入出力部９０とが接続されて構成されている。
【００１６】
制御部１０は、携帯端末１の全体を制御するための機能部である。制御部１０は、記憶部７０に記憶されている各種プログラムを読み出して実行することにより各種機能を実現しており、例えばＣＰＵ（Central Process Unit）等により構成されている。
【００１７】
チューナ部２０は、利用者が所望するチャネルの周波数から、放送信号を受信するための機能部である。また、チューナ部２０は、携帯端末１に設けられた第１のアンテナであるアンテナ２５と、アンテナ接続部３０とが接続されている。
【００１８】
アンテナ接続部３０には、第２のアンテナであるアンテナ３５が接続されている。すなわち、本実施形態の携帯端末１は、第１のアンテナ（アンテナ２５）と、第２のアンテナ（アンテナ３５）とを切り替えてコンテンツを受信可能である。
【００１９】
本実施形態では、第１のアンテナとしてロッドアンテナ、第２のアンテナとしてイヤホンアンテナとして説明する。
【００２０】
なお、第１のアンテナ、第２のアンテナとしては種々のアンテナが考えられる。例えば、第１のアンテナとしては内蔵アンテナであったり、伸縮可能なホイップアンテナであったり、第２のアンテナとしてはＵＳＢインタフェースに接続可能な外部アンテナであったり、イヤホンジャックに接続可能な外部アンテナであったりして固定ＴＶ等が接続されている壁面に埋設されたアンテナ接続端子と接続しても良い。
【００２１】
すなわち、利得の低い第１のアンテナと、利得の高い第２のアンテナとが接続可能に構成されている。
【００２２】
コンテンツ処理部４０は、チューナ部２０で受信された放送信号を、デコード処理し、各機能部に出力するための機能部である。コンテンツ処理部４０の概略を図３に示す。図３に示すように、コンテンツ処理部４０は、再生制御部４０２と、録画制御部４０４と、ＴＳＤＥＭＵＸ部４０６と、映像デコード部４０８と、音声デコード部４１０とを含んで構成されている。
【００２３】
チューナ部２０により受信された放送信号は、ＴＳＤＥＭＵＸ部４０６において各ＴＳに分離され、各機能部に出力される。例えば、映像ＴＳは映像デコード部４０８に、音声ＴＳは音声デコード部４１０に、文字データは制御部１０にそれぞれ出力される。
【００２４】
そして、映像デコード部４０８は、映像ＴＳから映像データを復号し、操作表示部８０や、記憶部７０に出力する。また、音声デコード部４１０は、音声ＴＳから音声データを復号し、音声入出力部９０や、記憶部７０に出力する。
【００２５】
また、各映像データや音声データは、再生制御部４０２により制御されて出力される。また、録画をする場合には、録画制御部４０４により、制御され、映像データ、音声データが記憶部７０に記憶される。
【００２６】
通信部５０は、携帯端末１が基地局と通信するための機能部であり、例えば３Ｇ回線等といった携帯電話網の基地局であったり、ＷｉＦｉ等の無線ＬＡＮ等の基地局であったりする。また、電話機能部６０は、携帯端末１が電話機能（例えば音声通信の発着信等）を実現する場合に利用される機能部である。本実施形態においては、その詳細な説明を省略する。
【００２７】
記憶部７０は、携帯端末１の動作に必要な各種プログラムや、各種データが記憶されている機能部である。記憶部７０は、例えば、半導体メモリや、ＨＤＤ（Hard Disk Drive）等により構成されている。また、プログラム以外にも、各コンテンツ（例えば、映像データ、音声データ）等が記憶される。
【００２８】
ここで、記憶部７０には、チャネルリスト７５が記憶されている。チャネルリスト７５は、携帯端末１が受信可能な放送局の一覧が記憶されているリストである。本実施形態の処理により、受信可能なチャネルがサーチされ、必要に応じて更新される。チューナ部２０は、チャネルリスト７５に記憶されているチャネル（放送局）の放送（コンテンツ）を受信することができる。
【００２９】
操作表示部８０は、利用者からの操作入力を受け付けたり、各種情報や映像を表示したりする機能部である。例えば、ＬＣＤや、有機ＥＬディスプレイと操作パネルが一体となったタッチパネルにより構成されている。操作表示部８０は、操作機能と表示機能とを有していればよく、例えば操作機能としては単純に操作ボタンであったり、表示機能としてはＨＤＭＩ（登録商標）により外部の映像表示装置に出力したりしてもよい。
【００３０】
音声入出力部９０は、音（音声や音楽等）を出力するための機能部（例えば、スピーカやイヤホン等）、音声を入力するための機能部（例えば、マイク等）である。なお、携帯電話機能等を利用しない装置の場合は、音声を入力する機能は無くても良い。また、音声入出力部９０は、例えばＢｌｕｅｔｏｏｔｈ（登録商標）といったワイヤレスの出力手段であっても良い。
【００３１】
［３．処理の流れ］
続いて、本実施形態における処理の流れを図４を用いて説明する。まず、デフォルトのアンテナが選択される（ステップＳ１０２）。本実施形態の場合は、アンテナ２５が受信用アンテナとしてまず選択される。
【００３２】
続いて、利用者により選局されると（ステップＳ１０４）、選局されたチャネルに放送波が有るか否かを判定する（ステップＳ１０６）。具体的には選局されたチャネルにおいてＯＦＤＭ信号のパイロット信号の相関を確認する等して、まず放送波（ＯＦＤＭ信号）の有無を判定する。
【００３３】
ここで、チャネルに放送波が有ると判定された場合には（ステップＳ１０６；Ｙｅｓ→ステップＳ１０８；Ｙｅｓ）、第２判定手段によりタイムアウトまで選局されたチャネルでの放送波の受信を継続し、ＮＩＴ等の情報が受信できるか否かを判定する（ステップＳ１１０）。
【００３４】
第２判定手段により放送波が受信できると判定された場合は（ステップＳ１１０；Ｙｅｓ）、受信可能なチャネルとしてチャネルリストを更新する（ステップＳ１１２）。
【００３５】
これをチャネルごとに繰り返し、総てのチャネルについて確認済みか否かを判定する（ステップＳ１１６）。総てのチャネルを確認済みであれば本処理は終了し（ステップＳ１１６；Ｙｅｓ）、残りのチャネルがあれば次のチャネルに対して処理を開始する（ステップＳ１１６；Ｎｏ→ステップＳ１１８→ステップＳ１０２）。
【００３６】
ステップＳ１１０において、ＮＩＴ等の情報を受信していない場合には（ステップＳ１１０；Ｎｏ）、所定時間受信待ちとなる（ステップＳ１１４；Ｎｏ→ステップＳ１１０）。所定時間経過してもＮＩＴ等の情報が受信されない場合は、当該チャネルは受信できないとして、チャネルリストの更新は行なわず（ステップＳ１１４；Ｙｅｓ）、次のチャネルの確認へ移る。以降は、ステップＳ１１６の処理を実現する。
【００３７】
ステップＳ１０８において、第１判定手段によりチャネルが無いとの判定となった場合には（ステップＳ１０８；Ｎｏ）、総てのアンテナでチャネルの有無を確認済みか否かを判定する（図５のステップＳ１３２）。
【００３８】
総てのアンテナでチャネルの有無を確認済みでなければ、他のアンテナに切り替えるとともに当該チャネルを再選局し、チューナの復調同期動作を再スタートさせる（ステップＳ１３２；Ｎｏ→ステップＳ１３４→ステップＳ１３６）。
【００３９】
ここで、チャネルが無いと判定されるとは、第１判定手段により当該チャネルにおいてＯＦＤＭ信号のパイロット信号の相関を確認する等した場合に、相関値が低くＯＦＤＭ信号の存在が検出できないことを言う。
【００４０】
例えば、本実施形態の場合、アンテナ２５で受信できなかった場合には、アンテナ３５から受信可能か否かを調べるために、アンテナ３５に切り替える。
【００４１】
そして、同一チャネルで再選局を行う。このとき、チューナ部２０の同期シーケンスを再スタートさせる効果があり、従来技術に見られるようなアンテナ切り替えのみでＣ／Ｎが上昇するのをタイムアウトまで待つ処理と比較して、ステップＳ１０６のチャネル判定を速く行うことが可能となる（ステップＳ１３６→図４のステップＳ１０６）。
【００４２】
また、総てのアンテナで確認済みの場合には、チャネルリストの更新は行わず、次のチャネルの確認へ移る（ステップＳ１３２；Ｙｅｓ→図４のステップＳ１１６）。
【００４３】
このように、第１判定手段によりＯＦＤＭ信号の相関を確認するだけでチャネルの放送波の有無を確認することができる。すなわち、チューナが同期し、そしてＣ／Ｎが上昇するまでタイマを設けて待機するといった動作が不要となり、高速にチャネルの判定を行うことができる。
【００４４】
［４．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００４５】
なお、上述した実施形態のデジタル放送受信装置は、例えばスマートフォンを含む携帯電話、タブレット、カーナビゲーション、ＴＶ、コンピュータといったデジタル放送を受信可能な受信装置であれば適用可能である。
【００４６】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【００４７】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【００４８】
１  携帯端末
３  放送局
１０  制御部
２０  チューナ部
２５  アンテナ
３０  アンテナ接続部
３５  アンテナ
４０  コンテンツ処理部
５０  通信部
６０  電話機能部
７０  記憶部
７５  チャネルリスト
８０  操作表示部
９０  音声入出力部
【図１】
2015216477.tif 000003
【図２】
2015216477.tif 000004
【図３】
2015216477.tif 000005
【図４】
2015216477.tif 000006
【図５】
2015216477.tif 000007